(57)【要約】  スマートウォッチを通じてユーザと対話するための方法が、対話型画像を表示するステップを含むことができる。この方法は、タッチ感応式ディスプレイの第１の端からタッチ感応式ディスプレイの第２の、対向する端に向かって、コンタクトが連続的に移動していることを検出するステップをさらに含むことができる。この検出に応答して、タッチ感応式ディスプレイは、コンタクトの移動に従って、選択機能インジケータを表示することができる。選択機能インジケータは、４つ以下の別個の選択可能なアイコンを含むことができる。
2016535349.tif 000002
【特許請求の範囲】
【請求項１】
１つまたは複数のプロセッサと、
システムメモリと、
ウォッチバンドと、
タッチ感応式ディスプレイと
を備えるスマートウォッチシステムであって、
前記ウォッチバンドは、前記タッチ感応式ディスプレイの第１のサイドから前記タッチ感応式ディスプレイの第２のサイドに延び、前記ウォッチバンドを手首の周囲に配置できるようにする留め金機構を備え、
前記タッチ感応式ディスプレイは、
対話型画像を表示し、
前記タッチ感応式ディスプレイの第１の端から前記タッチ感応式ディスプレイの第２の、対向する端に向かって、コンタクトが連続的に移動していることを検出し、
前記検出に応答して、前記コンタクトの移動に従って、４つ以下の別個の選択可能なアイコンを含む選択機能インジケータを表示する
ように構成されている、
スマートウォッチシステム。
【請求項２】
前記選択機能インジケータは、３つ以下の別個の選択可能なアイコンを含む、請求項１に記載のスマートウォッチシステム。
【請求項３】
前記別個の選択可能なアイコンはそれぞれ、特定のアプリケーションを実行するために選択可能である、請求項１に記載のスマートウォッチシステム。
【請求項４】
前記検出されたコンタクトが、連続的に検出される移動の中で、前記選択可能なアイコンのうちの１つに移動するとき、１つの選択可能なアイコンが選択される、請求項３に記載のスマートウォッチシステム。
【請求項５】
前記選択機能インジケータは、前記検出されたコンタクトがもはや検出されなくなったとき、画面から消える、請求項１または４に記載のスマートウォッチシステム。
【請求項６】
前記別個の選択可能なアイコンは、回転式アプリケーションブラウザ向けの第１のアイコン、ボイス機能向けの第２のアイコン、およびユーザ情報向けの第３のアイコンを含む、請求項３に記載のスマートウォッチシステム。
【請求項７】
前記回転式アプリケーションブラウザ向けの前記第１のアイコンは、ユーザに、複数のアプリケーションの視覚表示を提供するアプリケーションを実行し、前記視覚表示は、前記タッチ感応式ディスプレイの上部からスクロールする、スクロール可能な一連のアイコンを含む、請求項６に記載のスマートウォッチシステム。
【請求項８】
ボイス向けの前記第２のアイコンは、ユーザからボイスコマンドを受け取るアプリケーションを実行し、前記受け取ったボイスコマンドに基づいて機能を実行する、請求項６または７に記載のスマートウォッチシステム。
【請求項９】
ボイス向けの前記第２のアイコンは、ユーザが、当該スマートウォッチシステムから直接、電話をかけることを可能にする電話アプリケーションを実行する、請求項６または７に記載のスマートウォッチシステム。
【請求項１０】
ユーザ情報向けの前記第３のアイコンは、ユーザに、様々な情報項目を表示し、かつ前記ユーザが、前記様々な情報項目の少なくとも一部分と対話することを可能にするアプリケーションを実行する、請求項６または７に記載のスマートウォッチシステム。
【請求項１１】
前記タッチ感応式ディスプレイは、
前記タッチ感応式ディスプレイの第３の端から前記タッチ感応式ディスプレイの第４の、対向する端に向かって、コンタクトが連続的に移動していることを検出し、
前記検出に応答して、前記コンタクトの移動に従って、当該スマートウォッチシステムのワイヤレス接続性に関する情報を含むステータス情報を表示する
ようにさらに構成されている、請求項１に記載のスマートウォッチシステム。
【請求項１２】
前記タッチ感応式ディスプレイは、前記ウォッチバンドの幅にわたる、請求項１に記載のスマートウォッチシステム。
【請求項１３】
前記選択機能インジケータは、前記コンタクトの移動に従って、連続的に移動する、請求項１に記載のスマートウォッチシステム。
【請求項１４】
前記選択機能インジケータは、前記対話型画像が継続して少なくとも部分的にユーザに見え、かつ継続して視覚的に更新するように、前記対話型画像にオーバーレイする、請求項１に記載のスマートウォッチシステム。
【請求項１５】
１つまたは複数のプロセッサと、
システムメモリと、
ウォッチバンドであって、
前記ウォッチバンドの第１の部分を前記ウォッチバンドの第２の部分に連結し、それにより、前記ウォッチバンドが回路を形成できるようにする、留め金機構、
前記留め金機構を開閉できるようにするヒンジ、ならびに
前記ウォッチバンドが実質的に一貫した幅および形を含むような腕輪形状
を備える、ウォッチバンドと、
前記ウォッチバンドの上面内に埋め込まれている、タッチ感応式ディスプレイと、
前記ウォッチバンド内に埋め込まれているカーブドバッテリであって、前記留め金機構と前記ヒンジとの間に位置付けられ、前記留め金機構および前記ヒンジの両方によって前記タッチ感応式ディスプレイと隔てられている、カーブドバッテリと
を備えるスマートウォッチ。
【請求項１６】
前記ウォッチバンド内に配設され、前記１つまたは複数のプロセッサと通信するセルラアンテナをさらに備える、請求項１５に記載のスマートウォッチ。
【請求項１７】
前記セルラアンテナは、前記タッチ感応式ディスプレイと前記ヒンジとの間に配設される、請求項１６に記載のスマートウォッチ。
【請求項１８】
ＷｉＦｉアンテナが、前記タッチ感応式ディスプレイと前記留め金機構との間の前記ウォッチバンド内に配設される、請求項１５または１７に記載のスマートウォッチ。
【請求項１９】
ＧＰＳアンテナが、前記タッチ感応式ディスプレイと前記留め金機構との間の前記ウォッチバンド内に配設される、請求項１５または１７に記載のスマートウォッチ。
【請求項２０】
前記ウォッチバンドは、前記ウォッチバンドの外周に実質的に一貫した厚さを含む、請求項１５に記載のスマートウォッチ。
【請求項２１】
通信ポートが、前記ウォッチバンドの内面内に配設され、前記タッチ感応式ディスプレイと前記カーブドバッテリとの間に位置決めされる、請求項１５に記載のスマートウォッチ。
【請求項２２】
前記タッチ感応式ディスプレイは、前記ウォッチバンドの外面と実質的に同一平面であるように湾曲している、請求項１５に記載のスマートウォッチ。
【請求項２３】
前記ウォッチバンドは、３０ｍｍから４０ｍｍの間の幅を含む、請求項１５に記載のスマートウォッチ。
【請求項２４】
前記カーブドバッテリは、可撓性部分を含む、請求項１５に記載のスマートウォッチ。
【請求項２５】
前記ヒンジは、前記ヒンジに物理的割れ目がないように、前記ウォッチバンドの前記第１の部分を前記ウォッチバンドの前記第２の部分に連結する前記ウォッチバンドの連続的部分を含む、請求項１５に記載のスマートウォッチ。
【請求項２６】
１本または複数本の導電性ワイヤが、前記ウォッチバンドの前記連続的部分を通って、当該スマートウォッチの第１の部分から当該スマートウォッチの第２の部分に通る、請求項２５に記載のスマートウォッチ。
【請求項２７】
前記セルラアンテナは、前記バッテリと前記ヒンジとの間に配設される、請求項１５または２６に記載のスマートウォッチ。
【請求項２８】
ＷｉＦｉアンテナが、前記バッテリと前記ヒンジとの間に配設される、請求項１５または２６に記載のスマートウォッチ。
【請求項２９】
ＧＰＳアンテナが、前記バッテリと前記ヒンジとの間の前記ウォッチバンド内に配設される、請求項１５または２６に記載のスマートウォッチ。
【請求項３０】
腕輪形状のスマートウォッチ内のコンテンツを移動するための方法であって、
対話型画像を表示するステップと、
タッチ感応式ディスプレイの第１の端からタッチ感応式ディスプレイの第２の、対向する端に向かって、コンタクトが連続的に移動していることを検出するステップと、
前記検出に応答して、前記コンタクトの移動に従って、４つ以下の別個の選択可能なアイコンを含む、連続的に移動する選択機能インジケータを表示するステップと
を含む方法。
【発明の詳細な説明】
【技術分野】
【０００１】
関連出願の相互参照
[0001]本出願は、「Ｍｕｌｔｉ−ｍｅｄｉａ  Ｗｉｒｅｌｅｓｓ  Ｗａｔｃｈ（マルチメディアワイヤレスウォッチ）」という名称の２０１４年８月１４日に出願された米国特許出願第１４／４６０，３００号、および「Ｍｕｌｔｉ−ｍｅｄｉａ  Ｗｉｒｅｌｅｓｓ  Ｗａｔｃｈ（マルチメディアワイヤレスウォッチ）」という名称の２０１３年８月１５日に出願された米国特許仮出願第６１／８６６，３７２号に対する優先権と便益を主張するものである。上述の出願はすべて、その全体を参照することによって本明細書に組み込まれている。
【０００２】
[0002]本発明の実装形態は、コンピューティング機能を備えるリストウォッチおよび腕輪装身具を含む。
【背景技術】
【０００３】
[0003]世界が、量子化とつながりを増す中で、イノベータおよび消費者は、自らの日常生活に技術をよりシームレスに溶け込ませるやり方を模索している。最新のスマートフォンは、消費者がその日常生活に接続性をますます溶け込ませていることの理由によって１つの方法となっている。例えば、多くのスマートフォンユーザは、自分の電話機を頻繁に使用して、写真を撮影しアップロードする、友人にテキストを送信する、友人と通話する、道路を検索する、新しいレストランを見つける、および他のそのような活動を行う。
【０００４】
[0004]消費者の生活に技術を溶け込ませることにおける近年のさらなる動きは、いわゆる「スマートウォッチ（ｓｍａｒｔ  ｗａｔｃｈ）」に関わるものである。従来のスマートウォッチは、機能および形態に劇的な違いがある。一般には、多くの従来のスマートウォッチは、何らかの形態の基本的な健康追跡ユーティリティを含む。例えば、多くの従来のスマートウォッチは、歩数計を含み、歩数計は、ユーザが歩いた歩数を追跡するのに使用され得る。同様に、多くの従来のスマートウォッチは、睡眠中の動作を検出するのに使用され得るジャイロスコープを含む。
【０００５】
[0005]健康追跡の提供に加えて、いくつかの従来のスマートウォッチはまた、限定された接続性形態ももたらす。具体的には、従来のスマートウォッチは、スマートウォッチユーザがやはり所有するスマートフォンと通信することができる。例えば、従来のスマートウォッチは、ＢＬＵＥＴＯＯＴＨ（登録商標）を通じてスマートフォンから情報を受け取ることができる場合がある。例としては、従来のスマートウォッチは、スマートフォンがテキストメッセージを受け取ったという通知を表示することができる。この通知は、テキストメッセージについての大まかな情報を含むことができる。
【０００６】
[0006]しかしながら、従来のスマートウォッチは、いくつかの弱点がある。具体的には、必要な構成要素をスマートウォッチのような小さいフォームファクタに収めることは、難儀な仕事であることは理解されよう。具体的には、大抵の消費者は、ファッション性があり魅力的なウォッチを欲しがるので、楽しくなるようなフォームファクタと、スマートウォッチを機能できるようにするフォームファクタとを同時に兼ね備えたスマートウォッチの必要性がある。
【０００７】
[0007]加えて、従来のスマートウォッチは、インターフェースに弱点を抱えている。一般には、スマートウォッチが、スマートフォンほどユーザインターフェースに使用可能な表面積を含まないことは理解されよう。多くの従来のスマートウォッチは、直感的であり視覚的にも有用であるユーザインターフェースを提供することができていない。例えば、従来のスマートフォンユーザインターフェースは、モバイルアプリケーションの格子状のディスプレイを備える。いくつかの理由で、小さいスマートウォッチディスプレイ上にいくつかのアプリケーションの大きい格子を表示することは、扱いにくく非効率なユーザインターフェースをもたらす可能性があることは理解されよう。
【発明の概要】
【発明が解決しようとする課題】
【０００８】
[0008]本発明の実装形態は、ユーザに、魅力的かつ有用な、腕に着用できるコンピュータアクセサリを提供するように構成されているシステム、方法、および装置を含む。具体的には、本発明の実装形態は、一体化されたセルラフォン能力、パーソナルマルチメディア機能性、ウェブ接続性、および他の類似機能を含む手首のアクセサリを含む。加えて、本発明の実装形態は、従来技術のいくつかの弱点に対処するインターフェース／情報ディスプレイの新規のフォームファクタおよび方法を提供する。
【課題を解決するための手段】
【０００９】
[0009]例えば、本発明の実装形態は、スマートウォッチシステムを含む。スマートウォッチシステムは、１つまたは複数のプロセッサと、システムメモリとをさらに備えることができる。加えて、スマートウォッチシステムは、タッチ感応式ディスプレイの第１のサイドからタッチ感応式ディスプレイの第２のサイドに延びるウォッチバンドを備えることができる。ウォッチバンドは、ウォッチバンドを手首の周囲に配置できるようにする留め金機構を備えることができる。さらには、スマートウォッチシステムは、タッチ感応式ディスプレイを備えることができる。タッチ感応式ディスプレイは、対話型画像を表示し、タッチ感応式ディスプレイの第１の端からタッチ感応式ディスプレイの第２の、対向する端に向かって、コンタクトが連続的に移動していることを検出するように構成可能である。検出に応答して、タッチ感応式ディスプレイは、コンタクトの移動に従って、選択機能インジケータを表示することができる。選択機能インジケータは、４つ以下の別個の選択可能なアイコンを含むことができる。
【００１０】
[0010]加えて、本発明の少なくとも１つの実装形態は、スマートウォッチを含むことができる。スマートウォッチは、１つまたは複数のプロセッサと、システムメモリとを備えることができる。加えて、スマートウォッチは、ウォッチバンドを備えることができる。ウォッチバンドは、ウォッチバンドの第１の部分をウォッチバンドの第２の部分に連結し、それにより、ウォッチバンドが回路を形成できるようにする留め金機構をさらに備えることができる。ウォッチバンドはまた、留め金機構を開閉できるようにするヒンジを備えることもできる。ウォッチバンドは、ウォッチバンドが実質的に一貫した幅および形を含むような腕輪形状とすることができる。加えて、スマートウォッチは、タッチ感応式ディスプレイを備えることができる。タッチ感応式ディスプレイは、ウォッチバンドの上面内に埋込み可能である。さらには、スマートウォッチは、ウォッチバンド内に埋め込まれるカーブドバッテリを備えることができる。カーブドバッテリは、留め金機構とヒンジとの間に位置付けられ、留め金機構およびヒンジの両方によってタッチ感応式ディスプレイと隔てられていてよい。
【００１１】
[0011]さらには、本発明の実装形態は、スマートウォッチにおいてユーザと対話するための方法を含む。この方法は、対話型画像を表示するステップを含むことができる。方法は、タッチ感応式ディスプレイの第１の端からタッチ感応式ディスプレイの第２の、対向する端に向かって、コンタクトが連続的に移動していることを検出するステップをさらに含むことができる。この検出に応答して、タッチ感応式ディスプレイは、コンタクトの移動に従って、選択機能インジケータを表示することができる。選択機能インジケータは、４つ以下の別個の選択可能なアイコンを含むことができる。
【００１２】
[0012]本発明の例示的な実装形態の追加の機能および利点は、後に続く説明に記載され、一部は、この説明から明らかになり、またはそのような例示的な実装形態を実践することによって学習され得る。そのような実装形態の機能および利点は、添付の特許請求の範囲に具体的に指摘される機器および組合せを用いて、実現可能および獲得可能である。これらおよび他の機能は、以下の説明および添付の特許請求の範囲からより完全に明らかになり、または本明細書に以降記載されるそのような例示的な実装形態を実践することによって学習され得る。
【００１３】
[0013]本発明の上記ならびに他の利点および機能が獲得され得る方式を説明するために、大まかに上述された本発明のより具体的な説明が、添付の図面に示されているその具体的な実施形態を参照することによって与えられことになる。これらの図面は、本発明のほんの典型的な実施形態を示しているにすぎず、そのため、その範囲を限定するように考慮すべきでないことを理解しながら、本発明は、添付の図面を使用することにより、追加の具体性および詳細とともに記載され説明されることになる。
【図面の簡単な説明】
【００１４】
【図１】[0014]スマートウォッチの実装形態を示す図である。
【図２】[0015]図１のスマートウォッチを示す別の図である。
【図３Ａ】[0016]図１のスマートウォッチの実装形態を示す横断面図である。
【図３Ｂ】[0017]図１のスマートウォッチの別の実装形態を示す横断面図である。
【図４】[0018]スマートウォッチのユーザインターフェースとユーザが対話している実装形態を示す図である。
【図５】[0019]図４のユーザインターフェースの実装形態を示す図である。
【図６】[0020]スマートウォッチのユーザインターフェースの実装形態を示す図である。
【図７】[0021]スマートウォッチのユーザインターフェースの別の実装形態を示す図である。
【図８】[0022]スマートウォッチのユーザインターフェースのさらなる別の実装形態を示す図である。
【図９】[0023]スマートウォッチのユーザインターフェースのさらなる別の実装形態を示す図である。
【図１０】[0024]スマートウォッチのユーザインターフェースの別の実装形態を示す図である。
【図１１】[0025]スマートウォッチのユーザインターフェースのさらなる別の実装形態を示す図である。
【図１２】[0026]スマートウォッチのユーザインターフェースのさらなる別の実装形態を示す図である。
【図１３】[0027]スマートウォッチのユーザインターフェースの実装形態を示す流れ図である。
【図１４】[0028]スマートウォッチのユーザと対話するための方法の実装形態を示すフローチャートである。
【発明を実施するための形態】
【００１５】
[0029]本発明は、ユーザに、魅力的かつ有用な、腕に着用できるコンピュータアクセサリを提供するように構成されているシステム、方法、および装置にまで及ぶ。具体的には、本発明の実装形態は、一体化されたセルラフォン能力、パーソナルマルチメディア機能性、ウェブ接続性、および他の類似機能を含む手首のアクセサリを含む。加えて、本発明の実装形態は、従来技術のいくつかの弱点に対処するインターフェース／情報ディスプレイの新規のフォームファクタおよび方法を提供する。
【００１６】
[0030]したがって、本発明の少なくとも１つの実装形態においては、ファッション性があり機能的なスマートウォッチが提供される。諸実施形態は、リストウォッチ／腕輪または装身具の形態の着用できるコンピューティングデバイスを含むことができる。本明細書に使用されるとき、スマートウォッチは、腕輪形状の手首装着型コンピューティングデバイス、従来のウォッチのような形状のコンピューティングデバイス、または任意の数の他の手首装着型コンピューティングデバイスを含むことができる。いくつかの実施形態においては、そのような着用できるコンピューティングデバイスは、様々なマルチメディアおよび／またはワイヤレス機能を含むことができる。したがって、本明細書における実施形態は、着用できるスマートウォッチ１００を含むことができる。
【００１７】
[0031]スマートウォッチは、電話通信、電子通信、関連情報をプッシュおよびプルすることを含むインテリジェンス（文脈的なインテリジェンスを含む）、ボイス制御、ホームオートメーション、フィットネス追跡／指導／カロリー燃焼、社会的対話、オフラインおよびオンラインのメディアプレイバック、拡張可能性（例えば、「ａｐｐｓ」）、相互運用性（例えば、他のデバイスとのインターフェース）などの機能を可能にするハードウェアとソフトウェアとの任意の組合せを含むことができる。
【００１８】
[0032]図１および図２は、本発明の１つまたは複数の実施形態によるスマートウォッチ１００の一例の互いに異なる図を示している。示されているように、スマートウォッチ１００は、ディスプレイ１１０を含む。例えば、スマートウォッチ１００は、任意の適した技術（例えば、ＬＥＤ、ＯＬＥＤ、プラズマ、電子インク／電子ペーパなど）に基づくディスプレイ１１０を含むことができる。いくつかの実施形態においては、ディスプレイ１１０は、（例えば、抵抗性、容量性などの）タッチデジタイザを含んで、それによって、タッチ感応式ディスプレイ（例えば、シングルタッチ、またはマルチタッチ）を創出する。いくつかの実施形態においては、ディスプレイ１１０は、可撓性である。例えば、ディスプレイは、プラスチック、樹脂、ポリカーボネート、薄膜などを含む可撓性ディスプレイ部材を含んでよく、または可撓性ガラスディスプレイ部材（例えば、Ｃｏｒｎｉｎｇ（登録商標）Ｗｉｌｌｏｗ（商標）Ｇｌａｓｓもしくは薄膜ベースのＯＬＥＤ技術）を含んでよい。
【００１９】
[0033]加えて、スマートウォッチ１００は、バンド１５０を含む。バンド１５０は、剛性材料、可撓性材料、またはそれらの組合せから構成されてよく、ウォッチ製造の分野において知られている任意の材料、ならびに剛性または可撓性のバンドを形成するのに使用され得る任意の他の材料を含んでもよい。具体的には、バンド１５０は、セラミック材料を含むことができる。加えて、示されているように、バンド１５０は、腕輪形状を含むことができる。スマートウォッチ１００について説明するとき、ディスプレイ１１０が、バンド１５０内に埋め込まれていると説明してよく、またはバンド１５０が、ディスプレイ１１０のそれぞれの端部に取り付けられていると説明してもよい。加えて、バンド１５０は、１つまたは複数のラッチ１４０、および１つまたは複数のヒンジ１３０を含むことができる。任意のラッチ１４０が、機械式および磁気式を含んだ留め具の任意の組合せを採用してよい。
【００２０】
[0034]示されているように、スマートウォッチ１００は、１つまたは複数の物理ボタン２００を含んでよい。任意の含まれたボタン２００が、スマートウォッチ１００のオペレーティングシステムおよび／またはハードウェアデバイスを制御するのに使用できる可能性がある。少なくとも１つの実装形態においては、スマートウォッチ１００は、１つまたは複数のスピーカ、１つまたは複数のライト、１つまたは複数のヘッドフォンジャック、１つまたは複数の触覚出力デバイス（例えば、振動装置）など、１つまたは複数の追加の出力デバイスを含むことができる。
【００２１】
[0035]加えて、スマートウォッチ１００はまた、ポート２１０も含んでよい。ポート２１０は、１つまたは複数の電子コネクタを備えてよく、スマートウォッチ１００に電力を供給し（例えば、任意の含まれたバッテリもしくは複数のバッテリを充電するために）、かつ／またはスマートウォッチ１００と外部コンピューティングデバイス（例えば、汎用パーソナルコンピュータ、アクセサリデバイスなど）との間の一方向もしくは双方向のデータ転送を容易にするように構成可能である。ポート２１０は、シリアル（例えば、ＵＳＢ、ＳＰＩ）ポートなど、任意の適したデータポートタイプを含むことができる。
【００２２】
[0036]所望の電子部をスマートウォッチ１００のサイズのフォームファクタに適切に収めることは、技術的に困難な工程であり得ることは理解されよう。これは、視覚的に魅力的な製品を創出しようとするとき、特に当てはまる。したがって、スマートウォッチ１００の特定のフォームファクタを達成する際に関わる技術的および設計的な決定、ならびにスマートウォッチ１００内の構成要素の配置に関わる技術的および設計的な決定は、有意な新規性および発明性と関わる可能性があることは認識されよう。
【００２３】
[0037]例えば、図３Ａは、図１および図２のスマートウォッチ１００の横断面図を示している。示されている横断面図はまた、スマートウォッチ１００の様々な内部の構成要素も見せている。いくつかの実施形態においては、バンド１５０は、その中に配設されている１つまたは複数のバッテリ３００を含む。例えば、バンド１５０は、１つまたは複数の可撓性バッテリセル、および／あるいは１つまたは複数の剛性バッテリセルを含むことができる。剛性バッテリセルを使用するとき、バンド１５０は、バンド１５０の何らかの可撓性を可能にする形で、バンド１５０内に位置決めされている複数のつながった（例えば、直列の）バッテリセルを含むことができる。バッテリ寿命が、スマートウォッチ１００を設計および使用するときに有意な考慮事項であることは理解されよう。そのため、バンド１５０内のバッテリ３００の特定の配置は、バッテリサイズ、バッテリ構成、およびデバイスの全体的な美的見かけおよび機能に有意に影響を及ぼすことがある。したがって、バンド１５０内にバッテリ３００を配置し構成することに関する事項は、当分野の範囲内で有意な必要性に対処する。
【００２４】
[0038]いくつかの実施形態においては、ディスプレイ１１０もしくはバンド１５０のうちの一方または両方が、１つまたは複数の太陽電池（図示せず）を含むことができる。太陽電池は、スマートウォッチ１００内に配設される任意のバッテリ３００に充電するために、あるいはコンピューティングハードウェア、ディスプレイ１１０、および／または任意の電子ライト、センサ、入力デバイス、出力デバイス、通信デバイス、もしくはスマートウォッチ１００内に配設される他の電気構成要素に電力供給するために使用可能である。
【００２５】
[0039]図３Ａおよび図３Ｂは、スマートウォッチ１００の様々な追加の内部の構成要素を示している。例えば、スマートウォッチ１００は、処理装置３１０、画像処理装置３３０、バイオメトリック装置３４０、および様々なアンテナ３６０（ａ〜ｂ）を備えることができる。処理装置３１０は、汎用コンピュータプロセッサ、システムオンチップソリューション、または任意の他の利用可能な処理ハードウェアを含むことができる。少なくとも１つの実装形態においては、ディスプレイ１１０は、処理ユニット３１０と物理的に通信している。
【００２６】
[0040]画像処理装置３３０は、バンド１５０の外側から写真およびビデオの情報を受け取ることができる外部カメラ３２０を備えることができる。加えて、画像処理装置３３０は、グラフィック処理装置、外部カメラ３２０用のサポート回路要素、揮発性および不揮発性メモリ、および他の類似の構成要素を含むが、これらに限定されない様々な画像処理構成要素を備えることができる。示されているように、従来のスマートウォッチとは特異的に、本発明の実装形態は、バンド１５０内に処理回路要素を含むことができる。対照的に、従来のシステムは、ウォッチの文字盤の背後に実際の処理構成要素を含む。一部の従来のシステムは、ウォッチバンドの一部分内にカメラなどのハードウェアを配置することがあるが、本発明の実装形態とは対照的に、実際の処理構成要素は、通常バンド内には配置されていない。具体的には、スマートウォッチの基本的な操作に必要な一般的な処理構成要素は、従来のシステムのバンド内には配置されていない。
【００２７】
[0041]少なくとも１つの実装形態においては、処理装置３１０はまた、ディスプレイ１１０の真下ではない、バンド１５０内の場所に位置付けられてもよい。加えて、少なくとも１つの実装形態においては、処理装置３１０は、ディスプレイ１１０に直接隣接しておらず、そうではなく別の形で、バンド１５０内に配設されるように位置付けられてよい。
【００２８】
[0042]図３Ａはまた、バンド１５０内の別の場所に配設されるバイオメトリック装置３４０も示している。具体的には、バイオメトリック装置３４０は、ディスプレイ１１０とヒンジ１３０との間に配設される。バイオメトリック装置３４０は、１つまたは複数の多様なセンサを備えることができる。例えば、センサは、１つまたは複数の加速度計、１つまたは複数のジャイロスコープ、（例えば、周囲光を検出するための）１つまたは複数の光センサ、（例えば、心拍数、電気皮膚反応、血中酸素濃度などを検出するための）１つまたは複数の生物学的センサ、１つまたは複数のマイクロフォン、１つまたは複数のカメラ、（例えば、皮膚温および／または気温を検出するための）１つまたは複数の温度計、１つまたは複数の気圧計、１つまたは複数の近接センサ、１つまたは複数の湿度センサ、１つまたは複数のバイオメトリックセンサ（例えば、指紋）などの中から選択可能である。これらのセンサのうちの１つまたは複数が、バンド１５０の外側に載置される追加の構成要素を含むことができることは理解されよう。
【００２９】
[0043]加えて、バイオメトリック装置３４０はまた、ユーザフィードバック構成要素を備えてもよい。例えば、バイオメトリック装置３４０は、振動装置３５０を備えることができる。処理装置３１０は、ユーザに対して伝達する手段として、振動装置３５０をアクティブ化することができる。例えば、ＳＭＳテキスト、電子メール、電話着信、またはいくつかの他の通知を受け取ると、保留中の項目についてユーザに通知するように振動装置３５０をアクティブ化することができる。
【００３０】
[0044]少なくとも１つの実装形態においては、スマートウォッチ１００はまた、スマートウォッチ１００内に配設される様々なアンテナ構成要素３６０（ａ〜ｂ）を備えてもよい。アンテナ構成要素３６０（ａ〜ｂ）は、ＢＬＵＥＴＯＯＴＨ（登録商標）、ＷｉＦｉ（登録商標）、Ｎｅａｒ−Ｆｉｅｌｄ  Ｃｏｍｍｕｎｉｃａｔｉｏｎｓ（ＮＦＣ）、ＡＮＴ＋（登録商標）、赤外線送信器／受信器、および他の類似の通信デバイスなど、１つまたは複数の短距離通信デバイスを備えることができる。図３に示されているように、アンテナ構成要素３６０（ａ〜ｂ）は、バッテリ３００とヒンジ１３０との間のバンド１５０内に配設されてよい。１つまたは複数の代替の実施形態においては、アンテナ構成要素３６０（ａ〜ｂ）は、バッテリ３００とラッチ１４０との間のバンド１５０内に配設可能である。さらには、少なくとも１つの実装形態においては、１つまたは複数のアンテナ（例えば、ＷＩＦＩ（登録商標）、ＢＬＵＥＴＯＯＴＨ（登録商標）、３Ｇなど）はまた、バイオメトリック装置３４０および画像処理装置３３０と同じ物理装置の中に一体化可能でもある。加えて、少なくとも１つの実装形態においては、アンテナは、ディスプレイ１１０とヒンジ１３０またはラッチ１４０との間に位置決めされているスタンドアロン装置３６０ｂにおいて位置決めされ得る。そのため、少なくとも１つの実装形態においては、アンテナ３６０（ａ〜ｂ）のうちの１つまたは複数は、ディスプレイ１１０とラッチ１４０との間、および／またはディスプレイ１１０とヒンジ１３０との間に位置決めされてよい。具体的には、ディスプレイ１１０の、ＷＩＦＩアンテナおよびＢＬＵＥＴＯＯＴＨアンテナと対向する側に、３Ｇアンテナを位置決めすることにより、３Ｇアンテナのより優れた信号伝搬を実現することができる。
【００３１】
[0045]加えて、または代替として、アンテナ構成要素３６０（ａ〜ｂ）は、セルラ、地理的測位（例えば、ＧＰＳ、Ｇａｌｉｌｅｏ、ＧＬＯＮＡＳＳ、ＩＲＮＳＳなど）など、１つまたは複数の長距離通信デバイスを含むことができる。そのため、スマートウォッチ１００は、データおよび／またはボイス通信のためのセルラネットワーク（例えば、ＧＳＭ、ＣＤＭＡ、ＬＴＥなど）に接続することを可能にされ得る。加えて、スマートウォッチ１００は、地理的測位システムから、位置および／または時間のデータを受け取ることを可能にされ得る。
【００３２】
[0046]本発明の様々な実装形態においては、スマートウォッチ１００の様々な内部の構成要素は、図３に示されている以外の定位置に位置付けされてよい。例えば、少なくとも１つの実装形態においては、バイオメトリック装置３４０および画像処理装置３３０は、場所的に交換可能である。加えて、少なくとも１つの実装形態においては、様々な構成要素はすべて、バッテリ３００とヒンジ１３０またはラッチ１４０との間に配置可能である。
【００３３】
[0047]したがって、本発明の実装形態は、スマートウォッチ１００のバンド１５０内に、幅広い多様な構成要素を配置する。具体的には、腕輪形状のバンドにおいては、図１〜図３に示されるように、本発明の実装形態は、バッテリ３００とヒンジ１３０またはラッチ１４０との間に、バッテリ３００、および様々な構成要素３１０、３２０、３３０、３４０、３５０、３６０（ａ〜ｂ）を配置することができる。
【００３４】
[0048]少なくとも１つの実装形態においては、バッテリおよび／または様々な隣接する構成要素３１０、３２０、３３０、３４０、３５０、３６０（ａ〜ｂ）間の通信を可能にするために、少なくとも１本のワイヤが、ヒンジ１３０を通って延びる。少なくとも１つの実装形態においては、ヒンジ１３０は、ラッチ１４０が開いているときであっても、スマートウォッチ１００の上部分１０２および下部分１０４を一緒に連続的に連結する連続的部分１３２を含む。少なくとも１つの実装形態においては、少なくとも１本のワイヤが、ラッチ１４０を通って延びる。具体的には、ラッチ１４０は、一体化された電気コネクタを含むことができ、それにより、ラッチ１４０が閉じているとき、バッテリおよび／または構成要素３１０、３２０、３３０、３４０、３５０、３６０（ａ〜ｂ）とスマートウォッチ１００の上部分１０２との間で、回路が完結される。
【００３５】
[0049]上で論じられたように、視覚的に魅力的なパッケージで従来のスマートウォッチ内に必要な構成要素を適切に収めることは、従来技術の中に存在する弱点である。従来のスマートウォッチは、スマートウォッチ文字盤内に必要な構成要素を収めるために重要な機能性を諦めるか、またはウォッチ文字盤内にほとんどあらゆる構成要素を収めようとするかのいずれかであり、その結果、分厚く、魅力的でない腕小物になる。上に開示されたように、本発明の実装形態は、バンド１５０内にバッテリ、アクセサリ、重要な構成要素を配置する新規の方法により、この問題を克服する。加えて、本発明の実装形態は、スマートウォッチ１００の下部分１０４における構成要素と、スマートウォッチの上部分１０２における構成要素との間の通信を可能にする新規の機能を提供する。
【００３６】
[0050]上に開示された様々な構成要素、構成、およびフォームファクタに加えて、本発明の少なくとも１つの実装形態においては、スマートウォッチ１００はまた、新規のユーザインターフェースを備える。従来のスマートウォッチ内に直観的かつ効果的なユーザインターフェースを実装することは、結果的に、いくつかの弱点を招いたことは理解されよう。具体的には、多くの従来のスマートウォッチは、元々はスマートフォン向けに設計されたオペレーティングシステムを動作させる。
【００３７】
[0051]これらのオペレーティングシステムのほとんどが、ホーム画面モデルに依存している。このモデルは、アプリケーションが格子状のパターンで配置される１つまたは複数の画面を含む。これらのホーム画面は、コンピュータデスクトップに幾分、似ている。スマートフォンの範囲内では、ホーム画面は、いくつかの便益をもたらす。例えば、ホーム画面は、ユーザに開始場所を提供し、ここに、重要なアプリケーションおよび機能性が配置可能であり、容易にアクセスし得る。例としては、ユーザは、ホーム画面上の容易に利用できるスポットに電話アプリケーションおよびインターネットアプリケーションを配置することができる。加えて、ホーム画面は、第１のアプリケーションから第２のアプリケーションに移動しようとするとき、ユーザが並べ替えし直すためのデフォルト位置を提供することができる。
【００３８】
[0052]しかしながら、従来のスマートウォッチにおいて画面の使える面積が極めて限られていることに取り組むとき、たった一つのホーム画面上に多数のアプリケーションを表示することは、いくつかの明らかな問題を抱える。したがって、様々な従来のスマートウォッチは、幅広い多様な異なるユーザインターフェーススキームを実験し、実装している。これらの従来のユーザインターフェースには、いくつかの弱点がある。例えば、スマートウォッチにおける従来のユーザインターフェースは、有用なホーム画面とあまりにもかけ離れている。例えば、一部の従来のスマートウォッチユーザインターフェースは、ユーザが、潜在的に多数のアプリケーションを一度に１つ並べ替えることを可能にする。具体的には、ユーザは、従来のスマートウォッチ上のボタンを押して、アプリケーションを循環させる。これらの従来のスマートウォッチのうちのいくつかは、ウォッチ文字盤のデジタル表示をしばしば含む疑似ホーム画面を提供する場合がある。
【００３９】
[0053]このスキームは、いくつかの弱点を有する。例えば、疑似ホーム画面（例えば、デジタルウォッチ文字盤）は、時刻および日付についての有用な情報を提供できる潜在力がある一方、ユーザに単一の画面内の重要なアプリケーション／機能性への素早いアクセスを提供することはできない。加えて、ユーザをデジタルウォッチ文字盤に戻すことはまた、ユーザをアプリケーションリストのまさに先頭に戻す可能性もある。例えば、ユーザが、従来のスマートウォッチにおいて１０個のアプリケーションを有し、現在、９番目のアプリケーションを実行中であるが、１０番目のアプリケーションに切り替えたい場合、ホーム画面（例えば、デジタルウォッチ文字盤）に戻すことにより、ユーザは、１０番目のアプリケーションにアクセスできるようになる前に、１０個のアプリケーションすべてを循環させることが必要になる場合がある。したがって、ユーザにホーム画面の機能性の一部を提供すると同時に、スマートウォッチの限られた画面の使える面積の上にフルスマートフォンベースのホーム画面を配置するという、明白な弱点がないスマートウォッチユーザインターフェースの必要性がある。
【００４０】
[0054]図４は、スマートウォッチインターフェース４００の実装形態を示している。具体的には、示されているスマートウォッチインターフェース４００は、デジタルウォッチ文字盤４１０を含む。少なくとも１つの実装形態においては、幅広い多様な互いに異なるタイプおよびスタイルのデジタルウォッチ文字盤４１０が、ユーザがその中から選ぶように利用可能である。加えて、デジタルウォッチ文字盤４１０が、単なる例示にすぎないことは理解されよう。
【００４１】
[0055]加えて、図４は、ディスプレイ１１０上の検出されたコンタクト４２０を示している。検出されたコンタクト４２０は、ディスプレイ１１０との検出された指コンタクト、ディスプレイ１１０との検出されたスタイラスコンタクト、またはディスプレイ１１０とのユーザ対話の何らかの他の検出を含むことができる。図４においては、検出されたコンタクト４２０は、ディスプレイ１１０の右サイドにおいて検出され、ディスプレイの左サイドに向かって（矢印によって示されているように）移動している。代替の実装形態においては、検出されたコンタクト４２０は、図示以外のエリアで生じることも、および図示以外のエリアに向かって方向付けられることもともに可能である。例えば、検出されたコンタクト４２０は、ディスプレイ１１０の上部で生じ、ディスプレイ１１０の下部に向かって方向付け可能である。対照的に、少なくとも１つの実装形態においては、検出されたコンタクト４２０は、ディスプレイ１１０のほぼ中央で検出可能であり、ディスプレイ１１０の特定のサイドに向かって方向付け可能である。加えて、少なくとも１つの実装形態においては、検出されたコンタクト４２０は、特定のアクションが結果的に生じる前に、ディスプレイ全体を横断する（すなわち、サイドからサイドに）ように要求されてもよい。
【００４２】
[0056]図５は、検出されたコンタクト４２０が、ディスプレイ１１０のほぼ中央に移動した後の図４のスマートウォッチユーザインターフェース４００を示している。少なくとも１つの実装形態においては、あらかじめ規定された場所（例えば、ディスプレイ１１０の右サイド）におけるコンタクト４２０に続いて、このコンタクトのあらかじめ規定された移動（例えば、ディスプレイ１１０の中心に向かう）を検出した後、スマートウォッチユーザインターフェース４００は、選択機能インジケータ５００を表示する。しかしながら、上の開示により、代替の実装形態においては、他のあらかじめ規定された場所およびあらかじめ規定された移動が、選択機能インジケータ５００の起動に連動し得ることは理解されよう。
【００４３】
[0057]図５に示される実装形態においては、選択機能インジケータ５００は、回転式アプリケーションブラウザアイコン５１０、ユーザ情報アイコン５２０、およびボイス機能アイコン５３０を含む。少なくとも１つの実装形態においては、回転式アプリケーションブラウザアイコン５１０、ユーザ情報アイコン５２０、およびボイス機能アイコン５３０は、ユーザが、素早く簡単にスマートウォッチ１００の重要な機能にアクセスできるようにし得る。しかしながら、代替の実装形態においては、追加のまたは異なるアイコンおよび機能が、選択機能インジケータ５００内に含まれていてもよい。さらには、少なくとも１つの実装形態においては、選択機能インジケータ５００は、ユーザ調整可能とすることができ、それにより、ユーザは、選択機能インジケータ５００内に含められるべきであるアイコンのうちの１つまたは複数を決定することができる。
【００４４】
[0058]示されているように、少なくとも１つの実装形態においては、選択機能インジケータ５００は、以前から存在していたスマートウォッチユーザインターフェース４００上にオーバーレイされる。加えて、少なくとも１つの実装形態においては、下にあるスマートウォッチユーザインターフェース４００は、継続してそれ自体を更新することができる。例えば、クロックは、選択機能インジケータ５００がディスプレイ１１０上にオーバーレイされても、継続して正確な時刻を刻み、表示することができる。加えて、少なくとも１つの実装形態においては、選択機能インジケータ５００は、任意のスマートウォッチインターフェース４００にわたって表示され得る。例えば、選択機能インジケータ５００は、インターネットポータル、ＳＭＳテキストインターフェース、カメラインターフェース、いくつかの他のアプリケーション、またはスマートウォッチ１００上の任意の他のインターフェースを含むスマートウォッチインターフェース４００内でアクセス可能になる。
【００４５】
[0059]選択機能インジケータ５００はまた、画面から消去され得る。少なくとも１つの実装形態においては、選択機能インジケータ５００をアクティブ化するのに要求されるのと反対のアクションを行うことにより、選択機能インジケータ５００は、画面から消去されることになる。例えば、コンタクトがディスプレイ１１０のほぼ中央において検出され、コンタクトが右サイドに向かって移動するとき（すなわち、図４および図５とは反対のコンタクトおよび移動）、選択機能インジケータ５００は、画面から消去可能であり、ユーザは、選択機能インジケータ５００によってオーバーレイされていたスマートウォッチユーザインターフェース４００を継続することができる。加えて、少なくとも１つの実装形態においては、一旦、ユーザがディスプレイとの連続的なコンタクトを中断すると、選択機能インジケータは、選択機能インジケータ自体を自動的に消去する。
【００４６】
[0060]したがって、本発明の実装形態は、従来のスマートウォッチの中の問題のうちのいくつかを克服する選択機能インジケータ５００を含む。例えば、選択機能インジケータ５００の実装形態は、スマートウォッチ１００内のどの画面からでもアクセスし得る。加えて、少なくとも１つの実装形態においては、選択機能インジケータ５００は、以前にアクセスされたスマートウォッチユーザインターフェース４００にオーバーレイし、ユーザが、選択機能インジケータ５００から直接、以前にアクセスされたスマートウォッチユーザインターフェース４００に戻ることを可能にする。
【００４７】
[0061]選択機能インジケータ５００を使用すると、ユーザには、スマートウォッチユーザインターフェース４００内のいずれのところからでも、スマートウォッチ１００のいくつかの重要な機能への素早いアクセスが提供される。加えて、選択機能インジケータ５００は、ユーザが、偶発的に誤ったアイコンを選択することなく、提供されたオプションのうちの１つを簡単に選択することができるやり方で提示される。選択機能インジケータ５００内の示されているアイコンの数は、３つであるが、代替の実装形態においては、３つより少ないアイコン、または３つより多いアイコンが示されてもよい。例えば、選択機能インジケータ５００の実装形態は、４つ、５つ、６つ、またはより多いアイコンを含むことができる。
【００４８】
[0062]一旦、選択機能インジケータ５００が表示されると、ユーザは、アイコン５１０、５２０、５３０のうちの１つを選択して、アプリケーションを実行することができる。少なくとも１つの実装形態においては、アイコンを選択することは、一旦、選択機能インジケータ５００が表示されるとユーザが画面とのコンタクトを中断することと、ユーザが再度、特定のアイコン５１０、５２０、５３０において画面とコンタクトすることとを含む。代替の実装形態においては、アイコンを選択することは、ユーザが最初のコンタクト４２０（図４から）を維持し、コンタクトを特定のアイコン５１０、５２０、５３０にスライドすることを含む。言い換えれば、選択機能インジケータ５００を表示し、特定のアイコン５１０、５２０、５３０を選択する動作は、ディスプレイ１１０とのコンタクトが維持される連続的な移動を含む。少なくとも１つの実装形態においては、一旦、ユーザがディスプレイとのコンタクト４２０を中止すると、選択機能インジケータ５００は、画面から自動的に消去される。
【００４９】
[0063]図６は、ユーザ情報アイコン５２０と関連付けられるユーザ情報アプリケーション６００の実装形態を示している。示されているように、少なくとも１つの実装形態においては、ユーザ情報アプリケーション６００は、積み重なったカード形式で、様々な通知およびユーザ情報項目を表示する。具体的には、１枚または複数枚のカード６１０が、画面上に表示される。各カードは、特定の項目に関する情報を含む。例えば、カードは、気象通知、インターネットＲＳＳフィード通知、ＳＭＳテキスト、電子メール、不在着信通知、ボイスメール通知、および他の類似の情報を含むことができる。少なくとも１つの実装形態においては、特定のアプリケーションからの情報は、多カード６１０にわたって分散して見える可能性がある。
【００５０】
[0064]ユーザ情報アプリケーション６００は、スマートウォッチ１００における他のアプリケーションから提供される通知を含むことができる。特定のカード６１０を選択することにより、カード内の情報と関連付けられるアプリケーションを実行することができ、または、ユーザは、ユーザ情報アプリケーション６００内に情報を創出することが可能になり得る。例えば、特定のカード６１０は、ＳＭＳテキストを含んでよい。少なくとも１つの実装形態においては、カード６１０を選択することにより、専用のＳＭＳテキストアプリケーションを実行することができ、またはユーザは、ユーザ情報アプリケーション６００内に応答ＳＭＳテキストを創出することが可能になり得る。
【００５１】
[0065]加えて、少なくとも１つの実装形態においては、カード６１０間の移動は、カードを下向きにおよび／または上向きにスワイプする事によって達成され得る。少なくとも１つの実装形態においては、スワイプは、ディスプレイ１１０の端から生じなくてはならない。対照的に、少なくとも１つの実装形態においては、スワイプは、ディスプレイの中央（またはサイド以外の何らかの他の場所）から生じ、特定の方向に方向付けられなくてはならない。
【００５２】
[0066]少なくとも１つの実装形態においては、追加の動作が、ユーザ情報アプリケーション６００内の様々な操作を現わすことができる。例えば、図７は、「破棄（ｄｉｓｍｉｓｓ）」操作７００を示している。少なくとも１つの実装形態においては、この操作７００は、アクティブなカード６１０を左にスワイプすることによって現わされ得る。同様に、図８は、右へのスワイプによって現わされ得る類似の操作８００を示している。少なくとも１つの実装形態においては、操作７００、８００は、ユーザ情報アプリケーション６００内で標準化される。例えば、少なくとも１つの実装形態においては、左スワイプが、破棄操作７００を現わすことができ、一方、右スワイプが、カード６１０に関する情報に固有である操作８００を現わすことができる。
【００５３】
[0067]図９は、様々なカード６１０が３次元の積み重なったビュー９００で表示される実装形態を示している。少なくとも１つの実装形態においては、ユーザは、簡単に様々なカードをスクロールし、対象の特定のカード６１０を精選することができる。このビューは、ユーザが多数のカード６１０の中から特定のカード６１０を探し出そうとしているときに、特に有用であり得ることは理解されよう。少なくとも１つの実装形態においては、３次元の積み重なったビュー９００は、特定の検出されたコンタクトおよび動作に応答して見ることができる。例えば、ダブルタップ、２本指タップ、ピンチ、または何らかの他のコンタクトおよび／またはモーションが、３次元の積み重なったビュー９００をアクティブ化することができる。
【００５４】
[0068]図１０は、回転式アプリケーションブラウザ１０００の実装形態を示している。回転式アプリケーションブラウザ１０００は、選択機能インジケータ５００から、独立して実行可能なアプリケーションから、スマートウォッチ１００上の物理ボタンを押すことによって、または任意の他のアクセス手段を通じて、アクセスし得る。少なくとも１つの実装形態においては、回転式アプリケーションブラウザ１０００は、スマートウォッチ１００にインストールされた様々なアプリケーションと関連付けられたスクロール可能なアイコン描写を提供する。例えば、図１０は、ＦＡＣＥＢＯＯＫ（登録商標）およびＴＷＩＴＴＥＲ（登録商標）と関連付けられたアイコンを示している。
【００５５】
[0069]少なくとも１つの実装形態においては、回転式アプリケーションブラウザ１０００に入ると、ユーザは、スマートウォッチ１００において利用可能である１つまたは複数のアプリケーションを通じて上部から下部にスクロールすることができる。加えて、少なくとも１つの実装形態においては、ユーザは、回転式アプリケーションブラウザ１０００内の様々なオプションにアクセスすることができる可能性がある。
【００５６】
[0070]例えば、図７および図８に示されたインターフェースと同様に、ユーザは、左もしくは右にスワイプし、または何らかの他の所定のコンタクトおよび動作を行って、回転式アプリケーションブラウザ１０００内に表される個々のアプリケーションに関するオプションにアクセスすることができる。少なくとも１つの実装形態においては、第１の方向、可能性として左または右にスワイプすることにより、ユーザは、すべてのアプリケーションに適用されるグロバールオプション（例えば、削除）にアクセスすることが可能になる。対照的に、少なくとも１つの実装形態においては、第２の方向、可能性として左または右にスワイプすることにより、ユーザは、現在、表示され、かつ／または作動しているアプリケーションに適用されるアプリケーション固有のオプション（例えば、ログイン変更）にアクセスすることが可能になる。
【００５７】
[0071]少なくとも１つの実装形態においては、回転式アプリケーションブラウザ１０００内のアプリケーションの順序は、ユーザによって決定することができる。例えば、ユーザは、最もよくアクセスされるアプリケーションを、それらが回転式アプリケーションブラウザ１０００内の最初に見えるように配置したいと望む場合がある。対照的に、少なくとも１つの実装形態においては、アプリケーションは、回転式アプリケーションブラウザ１０００によって自動的に順序付けられる。回転式アプリケーションブラウザ１０００は、アプリケーションが直近にアクセスされた順序で、最もよくアクセスされた順序で、または何らかの他のインテリジェントな順序付け方法により、アプリケーションを順序付けることができる。例えば、少なくとも１つの実装形態においては、回転式アプリケーションブラウザ１０００は、ユーザの場所、時刻、ユーザのカレンダに予定された行事、またはユーザからのバイオメトリック情報に基づいて、インテリジェントにアプリケーションを順序付けることができる。例としては、回転式アプリケーションブラウザ１０００は、ユーザが電車駅構内へと歩いていることを電車賃支払いアプリケーションが検出したとき、このアプリケーションを最初に順序付けることができる。同様に、回転式アプリケーションブラウザ１０００は、予定されたエクササイズ時刻に基づいて、フィットネスアプリケーションを最初に順序付けることができる。
【００５８】
[0072]図１０に示されている回転式アプリケーションブラウザ１０００は、同じ画面内に２つのアプリケーションアイコン１０１０を示している。しかしながら、少なくとも１つの実装形態においては、たった一つの全体的アプリケーションアイコン１０１０しか一度に表示されない。それにもかかわらず、複数のアイコンアプリケーションアイコン１０１０の一部分は、ユーザが第１のアプリケーションアイコンから第２のアプリケーションアイコンにスクロールすると、表示可能である。具体的には、第２のアイコンが画面に入ると、第１のアイコンが画面から出て行くことを、アニメーションが示すことができる。同様のインターフェースおよびアニメーションが、一度にたった一つのアプリケーションアイコン１０１０より多くのアプリケーションアイコンに使用され得ることは理解されよう。
【００５９】
[0073]図１１は、選択機能インジケータ５００からボイス機能５３０向けのアイコンをユーザが選択することに応答して表示され得るボイス機能アプリケーション１１００を示している。少なくとも１つの実装形態においては、ボイス機能アプリケーション１１００はまた、ボタン２００を押すこと、ディスプレイ１１０において特定のコンタクトおよび動作を行うこと、または特定のボイスコマンドを発行することによって、アクセスし得る。
【００６０】
[0074]ボイス機能アプリケーション１１００は、スマートウォッチ１００内の１つまたは複数の他のスタンドアロンアプリケーションにアクセスし得る。例えば、少なくとも１つの実装形態においては、ボイス機能アプリケーション１１００を使用して、ユーザは、ＳＭＳテキストを送信し、電話を起動し、気象更新を要求し、道順を要求し、フィットネスアプリケーションにアクセスし、またはスマートウォッチ１００システム内で利用できる多様な他の機能を行うことができる。
【００６１】
[0075]図１１に示されているように、少なくとも１つの実装形態においては、ボイス機能アプリケーション１１００は、ユーザの発声語１１１０を文字化する。ボイス機能アプリケーション１１００は、ユーザの発声語１１１０を文字化するとき、ユーザのコマンドを決定するために、様々なフィルタリングおよびスマート解釈を行うことができる。例えば、ボイス機能アプリケーション１１００は、辞書を使用して、解釈された発声コマンドを辞書における最も近い語と照合することができる。少なくとも１つの実装形態においては、ユーザの発声語１１１０の解釈は、スマートウォッチ１００が通信するサーバにおいて行われる。
【００６２】
[0076]図１１はまた、ボイス機能アプリケーション１１００内のアクティブアイコン１１２０を示している。アクティブアイコン１１２０は、ボイス機能アプリケーション１１００が聞取りモードであることを示すために点滅し、または何らかの他のアニメーションを行うことができる。聞取りモードであることとは対照的に、少なくとも１つの実装形態においては、アクティブアイコン１１２０は、ボイス機能アプリケーション１１００が処理モードであることを示すアニメーションを含むことができる。処理モード中、ボイス機能アプリケーション１１００は、サーバと通信している場合があり、即座のボイスコマンドを受け取ることができない場合がある。
【００６３】
[0077]図１２は、ステータス情報画面１２００を示している。ステータス情報画面１２００は、スマートウォッチ１００内の任意の他のインターフェースからアクセスし得る。少なくとも１つの実装形態においては、ステータス情報画面１２００は、画面１１０の端に接触し、接触している指を連続的に画面１１０の対向する端に向かって移動させることによってアクセスできる。例えば、ステータス情報画面１２００は、画面１１０の上部に接触し、指を画面１１０の下部に向かってドラッグすることによってアクセスし得る。
【００６４】
[0078]少なくとも１つの実装形態においては、明らかにアクセスされるときを除いて、ステータス情報画面１２００を隠すことは、いくつかの便益をもたらす。例えば、スマートウォッチ１００は、それらの形態により、常に、画面の使える面積と、情報にアクセスすることおよび情報と対話することの容易さとのバランスを取らなくてはならない。このことは、本事例のように、スマートウォッチ１００が、新規のセルラ通信機能および他のそのような拡張機能を備えるとき、特に当てはまる。一方では、大抵のセルラ電話と同様に、信号強度、信号タイプ、バッテリ容量など、特定のステータス情報は、有用なインジケータである。他方では、ウォッチサイズのデバイスは、情報密集画面には、あまり適していない。
【００６５】
[0079]したがって、有意な利点は、モバイルウォッチユーザインターフェースにおけるいずれのところからもアクセスできるが、そうでない場合はビューから隠されているステータス情報画面１２００を提供することによって獲得され得る。例えば、図１２のステータス情報画面１２００は、ボイスメール１２１０の存在、現在のネットワークタイプ１２１２、ネットワーク信号強度１２１４、およびバッテリ容量１２１６に関する情報を提供する。この情報は、標準的なスマートウォッチユーザインターフェース内に収まることは困難であり得ることは理解されよう。具体的には、この情報は、スマートウォッチが、あるアプリケーションを実行しているとき、容易に見えるやり方で位置決めすることは困難な場合がある。したがって、ステータス情報にアクセスすることができる単純なコンタクトおよび動作（例えば、下方向きのスワイプ）を提供することにより、従来技術に対して有意な利点を提供することができる。
【００６６】
[0080]ステータス情報に加えて、図１２のステータス情報画面１２００はまた、固有の設定を含む。具体的には、ステータス情報画面１２００は、サウンド設定１２２０、位置特定サービス設定１２２２、ＢＬＵＥＴＯＯＴＨ設定１２２４、ＷＩＦＩ設定１２２０を表示する。少なくとも１つの実装形態においては、これらの設定は、特定の機能をアクティブ化する、またはアクティブ化解除するために、トグルスイッチとして機能する。例えば、位置特定サービス設定１２２２を選択することは、スマートウォッチ１００内のＧＰＳモジュールをアクティブ化する、またはアクティブ化解除することができる。したがって、ユーザがスマートウォッチ１００内の任意のインターフェースから特定の設定に素早くアクセスすることができる単純なインターフェースが提供される。
【００６７】
[0081]図１３は、マップアプリケーション１３００のためのインターフェースの実装形態を示している。このインターフェースは、例示的な目的のために提供され、類似のインターフェースが、多様な互いに異なるアプリケーションに適用可能であることは理解されよう。具体的には、図１３は、道順を求めるときに、ユーザに提示され得る様々な可能な画面およびメニュー項目を示している。
【００６８】
[0082]示されているインターフェースは、情報画面１３１０およびメニュー項目１３２０を含む。メニュー項目１３２０は、メニュー項目１３２０が、スマートウォッチインターフェース内でスクロールできることを示す図の範囲内に位置決めされる。具体的には、メニュー項目１３２０は、画面の上部からスクロールすることによってアクセスし得る。少なくとも１つの実装形態においては、最上部での画面との接触および下方へのスクロールは、ステータス情報画面１２００を現わすことになる。対照的に、上部近くではあるが、上部ではないところでの画面との接触および下向きのスクロールは、メニュー項目１３２０を現わすことになる。「上部近く」は、ディスプレイ１１０の端と重なり合っていない任意のコンタクト、ディスプレイ１１０の実質的に上部１０％未満である任意のコンタクト、またはディスプレイ１１０の端からすぐそばでない何らかの他のコンタクトを含んでよい。加えて、少なくとも１つの実装形態においては、ディスプレイ１１０の中央でディスプレイ１１０に接触し、下方にスワイプすることにより、メニュー項目１３２０をスクロールさせる。
【００６９】
[0083]したがって、図１３は、ユーザに、スマートウォッチ１１０内の情報画面１３１０およびメニュー項目１３２０を提供する新規の方法を示している。具体的には、示されている新規のインターフェースにより、ユーザは、限られたスマートウォッチ画面の大部分を対象の情報によって独占させることが可能になる。同時に、開示のインターフェースは、タッチ入力デバイス（例えば、指）を用いて簡単に選択されるのに十分な大きさの幅広い多様なメニュー項目１３２０をユーザに提供することができる。
【００７０】
[0084]上の開示に照らして、開示された新規スマートウォッチ１００が、多様な互いに異なる使用事例を提供することは理解されよう。例えば、スマートウォッチ１００は、セルラハードウェアを使用するセルラネットワークを経由して、ＷｉＦｉハードウェアを使用するＷｉＦｉネットワークを経由してなど、ボイス通話および／またはビデオ通話を受け、送るように構成可能である。いくつかの実施形態においては、スマートウォッチ１００は、一体化されたスピーカを通じて会話の音声を再生することができるが、他の実施形態においては、スマートウォッチ１００は、外部スピーカを通じて（例えば、ヘッドフォンジャック、またはＢｌｕｅｔｏｏｔｈ（登録商標）を介して）会話の音声を再生する。同様に、いくつかの実施形態においては、スマートウォッチ１００は、一体化されたマイクロフォンを用いて、会話の音声を記録するが、一方他の実施形態においては、スマートウォッチ１００は、外部マイクロフォンを用いて（例えば、ヘッドフォンジャック、またはＢｌｕｅｔｏｏｔｈ（登録商標）を介して）会話の音声を記録する。１つまたは複数のカメラが、着用者／ユーザの静止画像またはビデオ画像を取り込むことができる。
【００７１】
[0085]加えて、上で開示されたように、スマートウォッチ１００は、電子通信機能性（例えば、ＳＭＳ、ＭＭＳ、電子メール）を備えることができる。例えば、スマートウォッチ１００は、ボイス制御機能性を含むことができる。例としては、着用者／ユーザは、「Ｒｉｃｈａｒｄ  Ｃｕｒｔｉｓへの電子メールを作成する（ｃｏｍｐｏｓｅ  ｅ−ｍａｉｌ  ｔｏ  Ｒｉｃｈａｒｄ  Ｃｕｒｔｉｓ）」、または「返信する（Ｒｅｐｌｙ）」と言うことによって、電子メールの作成を起動することができる。ミュージックプレイバックを起動するため、ボイス通信を起動するため、ステータス（例えば、ウォッチステータス）を受け取るため、または任意の他の情報（例えば、気象、映画、道順など）を受け取るために、任意の他のボイス制御状況／機能もまた可能である。例えば、着用者／ユーザは、「家までの最速の方法は何ですか？（Ｗｈａｔ’ｓ  ｔｈｅ  ｆａｓｔｅｓｔ  ｗａｙ  ｈｏｍｅ？）」と言うことによって、家への道順を読み込むことができる。
【００７２】
[0086]加えて、スマートウォッチ１００は、文脈（例えば、物理的な場所、時刻、着用者／ユーザの身体的（生物学的）な状態など）に基づいて、着用者／ユーザに情報を自動的にプッシュするように構成可能である。例えば、スマートウォッチ１００は、着用者／ユーザが、地下鉄内にいることを検出し（かつ地下鉄内の着用者／ユーザの場所を検出し）、関連情報（例えば、次の停車駅までの時間、さらなる道順、行き先における気象、運賃支払いの領収書など）を着用者／ユーザにプッシュすることができる。スマートウォッチ１００は、ＧＰＳ、ＷｉＦｉネットワーク、周囲雑音、ＮＦＣのスキャニング、運賃支払いの通知などに基づいて、着用者／ユーザの場所を検出することができる。
【００７３】
[0087]少なくとも１つの実装形態においては、スマートウォッチ１００は、着用者／ユーザの場所に基づいて、着用者／ユーザに、推奨および／または広告をプッシュすることができる。例えば、スマートウォッチ１００は、着用者／ユーザの場所に基づいて、着用者／ユーザに、レストラン推奨をプッシュすることができる。推奨は、有料広告、社会的つながり、時刻などに基づいて生じ得る。
【００７４】
[0088]さらには、少なくとも１つの実装形態においては、スマートウォッチ１００は、ホームオートメーション環境内で動作するように構成可能である。例えば、スマートウォッチ１００は、ローカルに（例えば、Ｂｌｕｅｔｏｏｔｈ（登録商標）、ＮＦＣ、ＷｉＦｉ（登録商標））、またはリモートで（例えば、ＷｉＦｉ（登録商標）もしくはセルラ接続を使用するＩｎｔｅｒｎｅｔを通じて）、ホームオートメーション構成要素と通信することができる。例としては、少なくとも１つの実装形態においては、スマートウォッチ１００は、物理的な場所（例えば、自宅、仕事場など）へのアクセス権を得るために、スマートドアロックとともに使用できる可能性がある。例えば、ユーザは、ユーザがアクセスを望むドアにおいてＮＦＣタグをスキャンし、次いで、（例えば、複数のバーのそれぞれの長さを変えることによって）ディスプレイ１１０においてロックコードを入力して、アクセス権を得ることができる。
【００７５】
[0089]加えて、スマートウォッチ１００は、フィットネス機能性を含むことができる。例えば、スマートウォッチ１００は、速度、ペース、高揚、心拍数、歩調、ストローク、ラップ、燃焼カロリー、および／または燃焼率など、ワークアウトおよび生物学的データを追跡することができる。スマートウォッチ１００は、内部センサを使用して、かつ／または外部センサ（例えば、Ｂｌｕｅｔｏｏｔｈ（登録商標）もしくはＡＮＴ＋（登録商標）を使用して、スマートウォッチ１００とインターフェースを取る／通信するセンサ）を使用して、そのようなワークアウトおよび生物学的データを収集することができる。そのため、スマートウォッチ１００は、多様な身体的活動（例えば、ランニング、スイミング、サイクリング、ハイキングなど）を追跡するためのフィットネスコンピュータ／モニタとして機能することができる。
【００７６】
[0090]いくつかの実施形態においては、スマートウォッチ１００は、一日全体を通じて、かつ経時的に生物学的情報を追跡することができる一般的な健康モニタとして機能するように構成されている。例えば、スマートウォッチ１００は、時折または連続的を基本として、ユーザの活動レベル、歩数、心拍数などを追跡することができる。加えて、スマートウォッチ１００は、消費されたカロリー、体重、体脂肪率など、他の提供された情報を受け取り、追跡することができる。そのためスマートウォッチ１００は、個人的な健康トレーナ／アシスタントとして機能することができる。
【００７７】
[0091]加えて、スマートウォッチ１００は、ソーシャルネットワーク上の友人など、他のユーザから、コース／チャレンジを受け取るように構成可能である。その場合、スマートウォッチ１００は、ペース、他のユーザに先んじている／遅れている時間などを示して、ワークアウト中、ユーザを励まし、やる気を起こさせる手助けになるように、ワークアウト中の仮想トレーナ／パートナとして機能することができる。スマートウォッチ１００はまた、着用者／ユーザのワークアウトを記録し、記録されたワークアウトに基づいて、他のユーザにチャレンジを送るように構成可能である。
【００７８】
[0092]スマートウォッチ１００はまた、ローカルに、またはリモートに記憶されたメディア（例えば、ミュージックおよびビデオ）をプレイバックするためのパーソナルメディアデバイスとしても構成可能である。メディアプレイバックは、他の制御機能（例えば、メニュー、ボタン）に加えて、ボイスコマンド（例えば、「ミュージックを再生する（ｐｌａｙ  ｍｕｓｉｃ）」、「ワークアウトミックスを再生する（ｐｌａｙ  ｗｏｒｋｏｕｔ  ｍｉｘ）」、「Ａｓａｆ  Ａｖｉｄａｎを再生する（ｐｌａｙ  Ａｓａｆ  Ａｖｉｄａｎ）」など）を介して制御できる可能性がある。
【００７９】
[0093]スマートウォッチ１００は、テレビジョン、またはＩｎｆｒａｒｅｄ、Ｂｌｕｅｔｏｏｔｈ（登録商標）、Ｗｉｆｉ（登録商標）などを介して他のホーム娯楽システムとインターフェースを取るように構成可能である。そのため、スマートウォッチ１００は、利用可能なプログラミングを見るために、プログラミングのプレイバックを起動するために、そうでない場合は、ホーム娯楽システムにおいてコンテンツを制御するために使用できる可能性がある。（示されている）いくつかの実施形態においては、スマートウォッチ１００は、メディアプロバイダ（例えば、Ｎｅｔｆｌｉｘ（登録商標）、Ｈｕｌｕ（登録商標））とインターフェースを取る。
【００８０】
[0094]したがって、図１〜図１３および対応するテキストは、スマートウォッチと対話するための１つまたは複数の方法、システム、および／もしくはストレージメディアに記憶される命令を示し、またはそうでない場合は説明している。本発明の実装形態はまた、特定の成果を果たすための１つまたは複数の行為を含む方法の観点からも説明され得ることは理解されよう。例えば、図１４および対応するテキストは、スマートウォッチにおいてユーザと対話するための方法において一連の行為のフローチャートを示している。
【００８１】
[0095]例えば、図１４は、スマートウォッチのユーザと対話するための方法の実装形態のためのフローチャートが、画像を表示する行為１４００を含むことができることを示している。行為１４００は、対話型画像を表示するステップを含む。例えば、図４および図５は、クロックの対話型画像を表示するスマートウォッチを示している。
【００８２】
[0096]図１４はまた、方法が、コンタクトを検出する行為１４１０を含むことができることも示している。行為１４１０は、タッチ感応式ディスプレイの第１の端からタッチ感応式ディスプレイの第２の、対向する端に向かって、コンタクトが連続的に移動していることを検出するステップを含む。例えば、図４および図５は、ユーザが、接触し、スワイプすることによって、画像と対話していることを検出しているスマートウォッチを示している。
【００８３】
[0097]加えて、図１４は、方法が、選択機能インジケータを表示する行為１４２０を含むことができることを示している。行為１４２０は、検出に応答して、コンタクトの移動に従って、選択機能インジケータを表示するステップを含む。選択機能インジケータは、４つ以下の別個の選択可能なアイコンを含む。加えて、選択機能インジケータは、対話型画像にわたって表示可能であり、この対話型画像は、選択機能インジケータによって、部分的にだけ覆い隠されている。例えば、図５は、検出されたコンタクトに応答して現れた選択機能インジケータの存在を示している。
【００８４】
[0098]したがって、本明細書に開示される実施形態は、豊富な多様な機能に使用可能であり、多様なセンサを使用してユーザ／着用者およびウォッチの文脈についての情報を収集することができ、ウォッチおよび関連するデバイスにおいて多様な出力を提供することができるスマートウォッチ１００の形態の着用できるコンピューティングデバイスを提供する。
【００８５】
[0099]主題は、構造上の特徴および／または方法論的行為に固有の言葉で説明されてきたが、添付の特許請求の範囲に定義される主題は、説明された機能、もしくは上に説明された行為、または上に説明された行為の順序に必ずしも限定されないことを理解されたい。むしろ、説明された機能および行為は、特許請求の範囲を実装する例示的な形態として開示される。
【００８６】
[00100]本発明の実施形態は、より詳細に後述されるように、例えば、１つまたは複数のプロセッサおよびシステムメモリなど、コンピュータハードウェアを含む専用または汎用のコンピュータシステムを含み、あるいは利用することができる。本発明の範囲内の実施形態はまた、コンピュータ実行可能な命令および／もしくはデータ構造を搬送し、または記憶するための物理メディアおよび他のコンピュータ可読メディアも含む。そのようなコンピュータ可読メディアは、汎用または専用のコンピュータシステムによってアクセス可能な任意の利用可能なメディアとすることができる。コンピュータ実行可能な命令および／またはデータ構造を記憶するコンピュータ可読メディアは、コンピュータストレージメディアである。コンピュータ実行可能な命令および／またはデータ構造を搬送するコンピュータ可読メディアは、伝送メディアである。したがって、限定ではなく、例として、本発明の実施形態は、少なくとも２つの明確に異なる種類のコンピュータ可読メディア、すなわち、コンピュータストレージメディアと、伝送メディアとを含むことができる。
【００８７】
[00101]コンピュータストレージメディアは、コンピュータ実行可能な命令および／またはデータ構造を記憶する物理ストレージメディアである。物理ストレージメディアは、ＲＡＭ、ＲＯＭ、ＥＥＰＲＯＭ、ソリッドステートドライブ（ｓｏｌｉｄ  ｓｔａｔｅ  ｄｒｉｖｅ：ＳＳＤ）、フラッシュメモリ、相変化メモリ（ｐｈａｓｅ−ｃｈａｎｇｅ  Ｍｅｍｏｒｙ：ＰＣＭ）、光ディスクストレージ、磁気ディスクストレージ、もしくは他の磁気ストレージデバイス、または本発明の開示された機能性を実装するための汎用もしくは専用のコンピュータシステムによってアクセスおよび実行可能である、コンピュータ実行可能な命令またはデータ構造の形態でプログラムコードを記憶するのに使用され得る任意の他のハードウェアストレージデバイス（複数可）など、コンピュータハードウェアを含む。
【００８８】
[00102]伝送メディアは、コンピュータ実行可能な命令またはデータ構造の形態でプログラムコードを搬送するのに使用され得、かつ汎用もしくは専用のコンピュータシステムによってアクセス可能な、ネットワークおよび／またはデータリンクを含むことができる。「ネットワーク（ｎｅｔｗｏｒｋ）」は、コンピュータシステムおよび／もしくはモジュールならびに／または他の電子デバイス間の電子データ輸送を可能にする１つまたは複数のデータリンクとして定義される。情報が、ネットワークまたは別の通信接続（ハードワイヤード、ワイヤレス、またはハードワイヤードもしくはワイヤレスの組合せのいずれか）を介してコンピュータシステムに転送または提供されるとき、コンピュータシステムは、この接続を伝送メディアと見なすことができる。上の組合せはまた、コンピュータ可読メディアの範囲内に含めるべきである。
【００８９】
[00103]さらには、コンピュータ実行可能な命令またはデータ構造の形態のプログラムコードは、様々なコンピュータシステム構成要素に達すると、伝送メディアからコンピュータストレージメディアに（または逆に）自動的に転送され得る。例えば、ネットワーク、またはデータリンクを介して受信されるコンピュータ実行可能な命令またはデータ構造は、ネットワークインターフェースモジュール（例えば、「ＮＩＣ」）内のＲＡＭにおいてバッファされ、次いで、最終的には、コンピュータシステムＲＡＭ、および／またはコンピュータシステムにおける揮発性がより低いコンピュータストレージメディアに転送され得る。したがって、コンピュータストレージメディアは、伝送メディアをも（またはさらに第１に）利用するコンピュータシステム構成要素に含められ得ることを理解すべきである。
【００９０】
[00104]コンピュータ実行可能命令は、例えば、命令およびデータを含み、この命令およびデータは、１つまたは複数のプロセッサにおいて実行されると、汎用コンピュータシステム、専用コンピュータシステム、または専用処理デバイスに、ある特定の機能、または一群の機能を行わせる。コンピュータ実行可能命令は、例えば、バイナリ、アセンブリ言語などの中間フォーマット命令、またはさらにソースコードであってもよい。
【００９１】
[00105]本発明が、パーソナルコンピュータ、デスクトップコンピュータ、ラップトップコンピュータ、メッセージプロセッサ、ハンドヘルドデバイス、マルチプロセッサシステム、マイクロプロセッサベースのまたはプログラム可能な家庭用電化製品、ネットワークＰＣ、ミニコンピュータ、メインフレームコンピュータ、モバイル電話、ＰＤＡ、タブレット、ページャ、ルータ、およびスイッチなどを含む多くのタイプのコンピュータシステム構成とともに、ネットワークコンピューティング環境において実践可能であることは、当業者には認識されよう。本発明はまた、ネットワークを通じて（ハードワイヤードデータリンク、ワイヤレスデータデータリンク、またはハードワイヤードおよびワイヤレスのデータリンクの組合せのいずれかによって）リンクされるローカルコンピュータシステムとリモートコンピュータシステムとがともにタスクを行う分散型システム環境においても実践可能である。そのため、分散型システム環境においては、コンピュータシステムは、複数の構成素コンピュータシステムを含むことができる。分散型システム環境においては、プログラムモジュールは、ローカルとリモートのメモリストレージデバイスの両方に置かれてよい。
【００９２】
[00106]本発明が、クラウドコンピューティング環境において実践可能であることもまた、当業者には認識されよう。クラウドコンピューティング環境は、分散可能であるが、これは必須ではない。分散された場合、クラウドコンピューティング環境は、組織内で国際的に分散されても、かつ／または多組織にわたって構成要素を保有させてもよい。本明細書および次の特許請求の範囲においては、「クラウドコンピューティング（ｃｌｏｕｄ  ｃｏｍｐｕｔｉｎｇ）」は、構成可能なコンピューティングリソース（例えば、ネットワーク、サーバ、ストレージ、アプリケーション、およびサービス）の共有プールへのオンデマンドネットワークアクセスを可能にするためのモデルとして定義される。「クラウドコンピューティング」の定義は、適切に展開された場合にそのようなモデルから取得可能な他の多数の利点のうちのいずれかに限定されない。
【００９３】
[00107]クラウドコンピューティングモデルは、オンデマンドセルフサービス、広範なネットワークアクセス、リソースプーリング、迅速な弾力性、および計測されるサービスなど、様々な特性から構成され得る。クラウドコンピューティングモデルはまた、例えば、Ｓｏｆｔｗａｒｅ  ａｓ  ａ  Ｓｅｒｖｉｃｅ（「ＳａａＳ」）、Ｐｌａｔｆｏｒｍ  ａｓ  ａ  Ｓｅｒｖｉｃｅ（「ＰａａＳ」）、およびＩｎｆｒａｓｔｒｕｃｔｕｒｅ  ａｓ  ａ  Ｓｅｒｖｉｃｅ（「ＩａａＳ」）などの様々なサービスモデルの形態でも生じ得る。クラウドコンピューティングモデルはまた、プライベートクラウド、コミュニティクラウド、パブリッククラウド、およびハイブリッドクラウドなどの種々の展開モデルを使用して展開され得る。
【００９４】
[00108]クラウドコンピューティング環境などのいくつかの実施形態は、１つまたは複数の仮想マシンをそれぞれが動作させることができる１つまたは複数のホストを含むシステムを含むことができる。動作中、仮想マシンは、オペレーティングシステム、および恐らくは１つまたは複数の他のアプリケーションも同様にサポートする動作コンピューティングシステムをエミュレートする。いくつかの実施形態においては、各ホストは、仮想マシンの観点から抽象化されている物理リソースを使用して、仮想マシンのための仮想リソースをエミュレートするハイパーバイザを含む。ハイパーバイザはまた、仮想マシン間の適切な分離を提供する。したがって、任意の所与の仮想マシンの視点から、ハイパーバイザは、仮想マシンが、物理リソースの外観（例えば、仮想リソース）としかインターフェースを取らなくても、仮想マシンが、物理リソースとインターフェースを取っているという錯覚を与える。物理リソースの例には、処理能力、メモリ、ディスクスペース、ネットワーク帯域幅、およびメディアドライブなどが含まれる。
【００９５】
[00109]本発明は、その精神または基本的な特性から逸脱することなく、他の固有の形態で実施され得る。説明された実施形態は、制限的ではなく、例示にすぎないとしてすべての点で考慮されるべきである。そのため、本発明の範囲は、前述の説明によるのではなく、添付の特許請求の範囲によって示される。特許請求の範囲の等価の意味および領域内に生じるすべての変更は、その範囲内に包含すべきである。
【図１】
2016535349.tif 000003
【図２】
2016535349.tif 000004
【図３Ａ】
2016535349.tif 000005
【図３Ｂ】
2016535349.tif 000006
【図４】
2016535349.tif 000007
【図５】
2016535349.tif 000008
【図６】
2016535349.tif 000009
【図７】
2016535349.tif 000010
【図８】
2016535349.tif 000011
【図９】
2016535349.tif 000012
【図１０】
2016535349.tif 000013
【図１１】
2016535349.tif 000014
【図１２】
2016535349.tif 000015
【図１３】
2016535349.tif 000016
【図１４】
2016535349.tif 000017
【国際調査報告】
2016535349.tif 000018
2016535349.tif 000019
2016535349.tif 000020